(57)【要約】【課題】データをファイル単位に記録媒体に記録する際に、指定された複数のトラックからなるデータを１ファイルとして記録する。【解決手段】データ記録再生装置１０は、第１の記録媒体に記録されているデータを第２の記録媒体１２に記録する際に、１トラックからなるデータを１ファイルとして記録する第１の記録形態または複数のトラックからなるデータを１ファイルとして記録する第２の記録形態に基づいて記録する記録手段１７と、第２の記録形態により１ファイルとして記録された各トラックのデータについて、いずれのトラックに相当するデータであるかを識別管理するための管理情報を作成する管理情報作成手段１８と、を備え、第１の記録媒体に記録されているデータの中から指定された複数のトラックからなるデータを第２の記録媒体１２に記録する際に、第２の記録形態に基づいて記録する場合には、管理情報作成手段１８は、前記の管理情報を作成する。【選択図】図１
2009004019.tif 000002
【特許請求の範囲】
【請求項１】
第１の記録媒体にトラック毎に記録されているデータをファイル単位で第２の記録媒体に記録するデータ記録装置において、
前記第１の記録媒体に記録されているデータを前記第２の記録媒体に記録する際、１トラックからなるデータを１ファイルとして記録する第１の記録形態または複数のトラックからなるデータを１ファイルとして記録する第２の記録形態に基づいて記録する記録手段を備えたことを特徴とするデータ記録装置。
【請求項２】
前記データ記録装置は、前記第２の記録形態により１ファイルとして記録された各トラックのデータについて、いずれのトラックに相当するデータであるかを識別管理するための管理情報を作成する管理情報作成手段を備え、
前記記録手段により、前記第１の記録媒体に記録されているデータの中から指定された複数のトラックからなるデータを前記第２の記録媒体に記録する際、前記第２の記録形態に基づいて記録する場合に前記管理情報作成手段は、当該複数のトラックからなるデータに関する管理情報を作成することを特徴とする請求項１に記載のデータ記録装置。
【請求項３】
前記データ記録装置は、前記第１の記録媒体に記録されているデータを第２の記録媒体に記録する際の記録形態として前記第１の記録形態または前記第２の記録形態のいずれかを設定する設定手段を備えたことを特徴とする請求項１または請求項２に記載のデータ記録装置。
【請求項４】
前記データ記録装置は、前記管理情報に基づいて前記第２の記録媒体からデータを検索する検索手段と、前記検索手段により検索されたデータを再生する再生手段と、を備えたことを特徴とする請求項２に記載のデータ記録装置。
【請求項５】
前記管理情報はトラック毎のデータタイトル名とデータ開始時間を含むことを特徴とする請求項２に記載のデータ記録装置。
【請求項６】
第１の記録媒体にトラック毎に記録されているデータをファイル単位で第２の記録媒体に記録する制御を行うデータ記録方法において、
前記第１の記録媒体に記録されているデータを前記第２の記録媒体に記録する際、１トラックからなるデータを１ファイルとして記録する第１の記録形態または複数のトラックからなるデータを１ファイルとして記録する第２の記録形態に基づいて記録する記録工程を備えたことを特徴とするデータ記録方法。
【請求項７】
前記データ記録方法は、前記第２の記録形態により１ファイルとして記録された各トラックのデータについて、いずれのトラックに相当するデータであるかを識別管理するための管理情報を作成する管理情報作成工程を備え、
前記記録工程において前記第１の記録媒体に記録されているデータの中から指定された複数のトラックからなるデータを前記第２の記録媒体に記録する際、前記第２の記録形態に基づいて記録する場合に前記管理情報作成工程において当該複数のトラックからなるデータに関する管理情報を作成することを特徴とする請求項６に記載のデータ記録方法。
【請求項８】
前記データ記録方法は、前記第１の記録媒体に記録されているデータを前記第２の記録媒体に記録する際の記録形態として前記第１の記録形態または前記第２の記録形態のいずれかを設定する設定工程を含むことを特徴とする請求項６または請求項７に記載のデータ記録方法。
【請求項９】
前記データ記録方法は、前記管理情報に基づいて前記第２の記録媒体からデータを検索する検索工程と、前記検索工程により検索されたデータを再生する再生工程と、を含むことを特徴とする請求項７に記載のデータ記録方法。
【請求項１０】
前記管理情報はトラック毎のデータタイトル名とデータ開始時間を含むことを特徴とする請求項７に記載のデータ記録方法。
【発明の詳細な説明】
【技術分野】
【０００１】
本発明は、音楽再生装置などにおけるデータ記憶装置に関するものである。特に、第１の記録媒体にトラック毎に記録されている音楽データを１ファイル単位で第２の記録媒体に記録するデータ記録装置に関するものである。
【背景技術】
【０００２】
従来の音楽再生装置として、音楽データを記憶するコンパクトディスク（ＣＤ：Ｃｏｍｐａｃｔ  Ｄｉｓｃ）やミニディスク（ＭＤ：Ｍｉｎｉ  Ｄｉｓｃ）などの可搬型外部記憶媒体からデータを読み取り再生する電子機器が知られている。こうした電子機器には、音楽データなどの情報を記録する大容量で高速アクセスが可能なハードディスク・ドライブ（ＨＤＤ：Ｈａｒｄ  Ｄｉｓｃ  Ｄｒｉｖｅ）を内蔵したものが普及し、これら可搬型外部記憶媒体から読み出された数多くの音楽データを記録させておくことができるようになっている。
【０００３】
さらに近年では、メモリカードや小型のＨＤＤが内蔵された携帯音楽端末、音楽再生機能を備えた携帯電話機など、バッテリにより駆動可能な携帯型のデータ再生装置が急速に普及してきているため、ユーザは、電子機器に内蔵されたＨＤＤに記録された音楽データをメモリカードや小型のＨＤＤなどの小型の記憶媒体に読み込み、携帯型のデータ再生装置においてこれら小型の記憶装置に記憶された音楽データを再生させることで所望の音楽を楽しむことが広く行われるようになっている。
【０００４】
このような音楽再生装置としては、例えば、下記の特許文献１（特開２００３−１５０１９９号公報）に、ハードウェアを用いてセクタ単位でハードディスクにデータの書き込み／読み出しを行い、ＣＰＵの負担を軽減したディジタルオーディオ信号の録音再生を行うことができる装置が開示されている。
【０００５】
この特許文献１に開示された録音再生装置は、ＡＤＣとＤＩＲとＤＡＣとＤＩＴからなる入出力回路と、再生用及び録音用データラッチ回路と再生側及び録音側データメモリと再生側及び録音側ＦＩＦＯ回路におけるデータ転送をコントロールするハードウェアで構成されたメモリコントロール回路と、データバスと、メモリプログラムの制御プログラムによって動作するＣＰＵと、アドレスデコーダ及びタイミング調整回路とを備え、ハードウェアの助けを借りてセクタ単位（５１２バイト）でハードディスクにデータの書き込み及び読み出しを行うように構成されているものである。
【０００６】
このように構成することにより、ＣＰＵの負担を軽減して低コスト化、低消費電力化、小型化が実現できる構成のＨＤＤ等の書き込み／読み出しをまとまったデータ単位で行う記録媒体を使用したディジタルオーディオ信号の録音再生方法及び録音再生装置を提供することができる。
【特許文献１】特開２００３−１５０１９９号公報（段落［００１２］、図１）
【発明の開示】
【発明が解決しようとする課題】
【０００７】
ところで、ＣＤに収録されている音楽データはトラック毎に管理されており、通常は１つの楽曲が１つのトラックに対応しているため、ＣＤからＨＤＤへの音楽データの録音（読込み／書込み）は１トラック単位で行われるのが一般的である。一方、ＨＤＤに録音される音楽データはファイル毎に管理されており、通常は１つのファイルが１つのトラックに対応している。
【０００８】
一般に、複数の楽曲をＣＤなどの記録媒体に記録する場合、独立した楽曲を順次トラックを変えて記憶して行くので、該記録媒体に記録されたトラックのデータをＨＤＤに読み込む場合はトラック毎にファイルを変えて記録すればよい。
【０００９】
これに対して、ライブ演奏をそのままＣＤに収録（記録）する場合がある。ライブ演奏では１つの楽曲の演奏が終わった直後に次の楽曲の演奏が始まったり、演奏と演奏がつながっているが、このようなときでも楽曲の区切りをトラックの区切りとしてＣＤに収録される。そして、このようなＣＤに収録されたデータを１トラックを１ファイル毎にＨＤＤに収録し、収録された音楽データを再生する場合、ＨＤＤの異なるファイルに収録されている音楽データを読み込むために時間がかかるので、曲間で音が途切れてしまうため、楽曲と楽曲とのつながりがなくなり、ライブ演奏の臨場感を得ることができないという問題点がある。
【００１０】
上記特許文献１に開示されたディジタルオーディオ信号の録音再生技術では、ＣＰＵの処理負担が小さくなるので、低消費電力化、ポータブル化が実現することができるため、ユーザの利便性をある程度向上させることはできるものの、上記のようにライブアルバムなどの音楽データの再生については具体的に配慮されていないためユーザに対しては、必ずしも利便性の高いものではなかった。
【００１１】
本願の発明者は上記の問題点を解消すべく種々検討を重ねた結果、データをファイル単位に記録媒体に記録する際に、指定された複数のトラックからなるデータを１ファイルとして記録するようにし、トラック毎のデータのタイトル名とデータ開始時間を含む管理情報を作成することにより、該管理情報に基づいてトラック単位でデータを再生するようになせば、上記の問題点を解消し得ることを想到し本発明を完成するに至ったものである。
【００１２】
すなわち、本発明は、上記の問題点を解消することを課題とし、複数のトラックからなるデータを１ファイルとして記録する音楽再生装置におけるデータ記憶装置およびデータ記録方法を提供することを目的とするものである。
【課題を解決するための手段】
【００１３】
前記課題を解決するために、本願の請求項１にかかる発明は、
第１の記録媒体にトラック毎に記録されているデータをファイル単位で第２の記録媒体に記録するデータ記録装置において、
前記データ記録装置は、前記第１の記録媒体に記録されているデータを前記第２の記録媒体に記録する際に、１トラックからなるデータを１ファイルとして記録する第１の記録形態または複数のトラックからなるデータを１ファイルとして記録する第２の記録形態に基づいて記録する記録手段を備えたことを特徴とする。
【００１４】
また、本願の請求項２にかかる発明は、請求項１にかかるデータ記録装置において、前記データ記録装置は、前記第２の記録形態により１ファイルとして記録された各トラックのデータについて、いずれのトラックに相当するデータであるかを識別管理するための管理情報を作成する管理情報作成手段を備え、
前記記録手段により、前記第１の記録媒体に記録されているデータの中から指定された複数のトラックからなるデータを前記第２の記録媒体に記録する際に、前記第２の記録形態に基づいて記録する場合には、前記管理情報作成手段は、当該複数のトラックからなるデータに関する管理情報を作成することを特徴とする。
【００１５】
また、本願の請求項３にかかる発明は、請求項１または請求項２にかかるデータ記録装置において、前記データ記録装置は、前記第１の記録媒体に記録されているデータを第２の記録媒体に記録する際の記録形態として前記第１の記録形態または前記第２の記録形態のいずれかを設定する設定手段を備えたことを特徴とする。
【００１６】
また、本願の請求項４にかかる発明は、請求項２にかかるデータ記録装置において、前記データ記録装置は、前記管理情報に基づいて前記第２の記録媒体からデータを検索する検索手段と、前記検索手段により検索されたデータを再生する再生手段と、を備えたことを特徴とする。
【００１７】
また、本願の請求項５にかかる発明は、請求項２にかかるデータ記録装置において、前記管理情報はトラック毎のデータタイトル名とデータ開始時間を含むことを特徴とする。
【００１８】
また、本願の請求項６にかかる発明は、
第１の記録媒体にトラック毎に記録されているデータをファイル単位に第２の記録媒体に記録する制御を行うデータ記録方法において、
前記第１の記録媒体に記録されているデータを前記第２の記録媒体に記録する際に、１トラックからなるデータを１ファイルとして記録する第１の記録形態または複数のトラックからなるデータを１ファイルとして記録する第２の記録形態に基づいて記録する記録工程を備えたことを特徴とする。
【００１９】
また、本願の請求項７にかかる発明は、請求項６にかかるデータ記録方法において、前記第２の記録形態により１ファイルとして記録された各トラックのデータについて、いずれのトラックに相当するデータであるかを識別管理するための管理情報を作成する管理情報作成工程を備え、
前記記録工程において前記第１の記録媒体に記録されているデータの中から指定された複数のトラックからなるデータを前記第２の記録媒体に記録する際に、前記第２の記録形態に基づいて記録する場合には、前記管理情報作成工程において当該複数のトラックからなるデータに関する管理情報を作成することを特徴とする。
【００２０】
また、本願の請求項８にかかる発明は、請求項６または請求項７にかかるデータ記録方法において、前記第１の記録媒体に記録されているデータを第２の記録媒体に記録する際の記録形態として前記第１の記録形態または前記第２の記録形態のいずれかを設定する設定工程を含むことを特徴とする。
【００２１】
また、本願の請求項９にかかる発明は、請求項７にかかるデータ記録方法において、前記管理情報に基づいて前記第２の記録媒体からデータを検索する検索工程と、前記検索工程により検索されたデータを再生する再生工程と、を含むことを特徴とする。
【００２２】
また、本願の請求項１０にかかる発明は、請求項７にかかるデータ記録方法において、前記管理情報はトラック毎のデータタイトル名とデータ開始時間を含むことを特徴とする。
【発明の効果】
【００２３】
請求項１、請求項６にかかる発明においては、第１の記録媒体にトラック毎に記録されているデータをファイル単位で第２の記録媒体に記録するデータ記録装置において、前記データ記録装置は、前記第１の記録媒体に記録されているデータを前記第２の記録媒体に記録する際、１トラックからなるデータを１ファイルとして記録する第１の記録形態または複数のトラックからなるデータを１ファイルとして記録する第２の記録形態に基づいて記録する記録手段を備える。
【００２４】
このような構成によれば、ユーザ操作などによって指定された記録形態に基づいて、データをトラック毎に記録した第１の記録媒体から読み出した１トラックからなるデータを従来技術と同じく１ファイルとして第２の記録媒体に記録する第１の記録形態の他に、前記第１の記録媒体から読み出した指定された複数のトラックからなるデータを１ファイルとして前記第２の記録媒体に記録する第２の記録形態でもデータを記録することが可能なため、ライブアルバムのように複数のトラックに渡って連続する音楽データを記録する場合にもデータ再生時にデータが途切れることなく再生可能なように１ファイルとして記録することができるようになる。
【００２５】
また、請求項２、請求項７にかかる発明のおいては、請求項１にかかるデータ記録装置、または請求項６にかかるデータ記録方法において、前記第２の記録形態により１ファイルとして記録された各トラックのデータについて、いずれのトラックに相当するデータであるかを識別管理するための管理情報を作成する管理情報作成手段を備え、
前記記録手段により、前記第１の記録媒体に記録されているデータの中から指定された複数のトラックからなるデータを前記第２の記録媒体に記録する際、前記第２の記録形態に基づいて記録する場合に前記管理情報作成手段は、当該複数のトラックからなるデータに関する管理情報を作成する。
【００２６】
このような構成によれば、ユーザ操作などによって指定された記録形態に基づいて、前記第１の記録媒体から読み出した指定された複数のトラックからなるデータを１ファイルとして前記第２の記録媒体に記録した場合にも各トラックを識別できる管理情報で管理することができるため、各トラックの管理情報を容易に知ることができるようになり、ユーザの利便性を向上させることができる。
【００２７】
また、請求項３、請求項８にかかる発明のおいては、請求項１、請求項２にかかるデータ記録装置、または請求項６、請求項７にかかるデータ記録方法において、前記第１の記録媒体に記録されているデータを第２の記録媒体に記録する際の記録形態として前記第１の記録形態または前記第２の記録形態のいずれかを設定する設定手段を備えている。
【００２８】
このような構成によれば、ユーザ操作などによって指定された記録形態に基づいて、データをトラック毎に記録した第１の記録媒体から読み出した１トラックからなるデータを従来技術と同じく１ファイルとして第２の記録媒体に記録する第１の記録形態の他に、前記第１の記録媒体から読み出した指定された複数のトラックからなるデータを１ファイルとして前記第２の記録媒体に記録する第２の記録形態を設定することができる。また、設定されたいずれかの記録形態でデータを記録することが可能なため、ライブアルバムのように複数のトラックに渡って連続する音楽データを記録する場合にもデータ再生時にデータが途切れることなく再生可能なように１ファイルとして記録し、各トラックを識別できる情報で管理することができるため、各トラックの管理情報を容易に知ることができるのでユーザの利便性を向上させることができる。
【００２９】
また、請求項４、請求項９にかかる発明のおいては、請求項２にかかるデータ記録装置、または請求項７にかかるデータ記録方法において、前記管理情報に基づいて前記第２の記録媒体からデータを検索する検索手段と、前記検索手段により検索されたデータを再生する再生手段と、を備えている。
【００３０】
このような構成によれば、データを再生する際、これら複数のデータを１ファイルとして再生するため、データが途切れることなく再生することができるとともに、管理情報に基づいてユーザが所望するトラックからデータを再生することが可能であるため、ユーザの利便性を向上させることができる。
【００３１】
請求項５、請求項１０にかかる発明においては、請求項２にかかるデータ記録装置、または請求項７にかかるデータ記録方法において、前記管理情報はトラック毎のデータタイトル名とデータ開始時間を含む。このような構成によれば、データを記録する際、ライブアルバムのように複数のトラックに渡って連続する音楽データを記録する場合にもデータ再生時にデータが途切れることなく再生可能なように１ファイルとして記録し、各トラックのデータタイトルとデータ開始時間を管理することができるため、各トラックのデータタイトルなどを容易に知ることができるのでユーザの利便性を向上させることができる。
【００３２】
また、データを再生する際、これら複数のデータを１ファイルとして再生するため、データが途切れることなく再生するとともに、管理情報に基づいてユーザが所望するトラックからデータを再生することが可能であり、さらに各トラックのデータタイトルとデータ開始時間を管理することができるため、各トラックのデータタイトルなどを容易に知ることができるのでユーザの利便性を向上させることができる。
【発明を実施するための最良の形態】
【００３３】
以下、本発明の具体例を実施例および図面を用いて詳細に説明する。但し、以下に示す実施例は、本発明の技術思想を具体化するためのデータ記録再生装置を例示するものであって、本発明をこのデータ記録再生装置に特定することを意図するものではなく、特許請求の範囲に含まれるその他の実施形態のデータ記録再生装置にも等しく適用し得るものである。
【実施例】
【００３４】
図１は、本発明の実施例にかかるデータ記録再生装置１０の構成を示すブロック図である。データ記憶再生装置１０は、制御手段１１、ＣＤ駆動部１２、録音制御部１３、ＨＤＤ部１４、ファイル作成部１５、再生制御部１６、表示部１７、入力部１８、スピーカ部１９などを備えて構成されている。
【００３５】
制御手段１１は、マイクロプロセッサを中心に構成され、一般的なコンピュータ装置と同様にＲＡＭ、ＲＯＭなどのメモリを備えており、ＲＯＭに格納されている各種制御プログラムを読み出し、ＲＡＭ内のプログラム格納領域に展開し、該制御プログラムに従って各部の動作を制御する。
【００３６】
ＣＤ駆動部１２は、ＣＤ収納部１２−１やＣＤ再生部１２−２などにより構成され、ＣＤ収納部１２−１は、ＣＤ再生部１２−２によってデータの読み取りが行われるＣＤを収容するためのものであり、ＣＤ再生部１２−２は、ＣＤ収納部１２−１に収容されＣＤ再生部１２−２内に装着されたディスク上の目的のアドレスの検索や該検索されたアドレスに対応する音楽データの読み取りを光ピックアップにより光学的に行って音楽データの再生を行うためのものである。
【００３７】
光ピックアップ（図示せず）は、ディスク再生時に、図示されていないトラッキングスレッドサーボ回路に制御されたスレッドによりディスクの半径方向に移動し、図示されていないスピンドルサーボ回路に制御されたスピンドルモータにより回転駆動させたディスクにレーザ光を照射することで、その反射光の強弱から該ディスクに記録されているデータを抽出（リッピング）する。
【００３８】
具体的には、反射光を電気信号に変換し、該電気信号を信号処理して音楽データ信号やＴＯＣ（Ｔａｂｌｅ  Ｏｆ  Ｃｏｎｔｅｎｔｓ）情報を取得する。ＣＤから取得された音楽データは制御手段１１にあるＲＡＭ内の音楽データ格納領域に記録されて、ＣＤから取得されたＴＯＣ情報は制御手段１１にあるＲＡＭ内のＴＯＣ情報格納領域に記録される。
【００３９】
図２は、ＴＯＣ情報の構成を説明するための図である。
【００４０】
ＴＯＣ情報はＣＤのリードインエリアに記録されており、図２に示すように、ＴＯＣ情報は各ＣＤに対してＣＤに収録されているトラックの数、ＣＤ上での各トラックの開始アドレス及び各トラックの演奏時間などの情報が関連付けられている。例えば、トラック１に対しては、そのトラック開始アドレスが「０ｘ１」、演奏時間が「ａａ：ａａ」となっている。
【００４１】
録音制御部１３は、ＣＤなどから読み込まれ、制御手段１１にあるＲＡＭ内の音楽データ格納領域に一旦記憶された音楽データをＨＤＤ部１４への記録を制御するためのものである。音楽ＣＤから読み込まれた音楽データはＨＤＤ部１４にファイルとして記録されるが、録音制御部１３は音楽ＣＤに収録されている音楽データを内容に応じて異なる記録態様でＨＤＤ部１４に記録する。
【００４２】
すなわち、一般的な音楽ＣＤのようにトラック毎に記録されている音楽データの曲間に無音時間を有しているような音楽データである場合には、録音制御部１３は、この音楽ＣＤから読み出された１トラックからなる音楽データを１ファイルとしてＨＤＤ部１４に記録する（これを第１の記録形態という）。
【００４３】
これに対して、音楽ＣＤにトラック毎に記録されている音楽データが曲間に無音時間を有していない音楽データ、いわゆるライブ録音（曲をつなげて収録）された音楽データである場合には、録音制御部１３は、この音楽ＣＤから読み出された複数のトラックからなるライブ録音された音楽データを１ファイルとしてＨＤＤ部１４に記録する（これを第２の記録形態という）。
【００４４】
ここで、録音制御部１３は、ＣＤＤＢ（ＣＤ  ＤａｔａＢａｓｅ）が提供する音楽ＣＤ情報のオンラインデータベースサービスを利用し、ＣＤから読み出されたＴＯＣ情報に基づいてインターネットを介して当該ＣＤに関するＣＤ情報を取得し、このＣＤ情報に付加情報として含まれている音楽データの録音形態に関する情報に基づいて、音楽ＣＤにトラック毎に記録されている音楽データが曲間に無音時間を有している音楽データであるか、あるいは有していない音楽データであるかを判定する。
【００４５】
なお、ＣＤＤＢから取得できるＣＤ情報には、ＣＤに収録されている楽曲のアルバム名（ＣＤタイトル名）、アーティスト名、音楽ジャンル、各楽曲のトラック番号や曲名、および楽曲に関する付加情報などが含まれている。
【００４６】
また、ＣＤから読み出されたＴＯＣ情報に当該ＣＤに収録されている音楽データの録音形態に関する情報が予め含まれている場合には、録音制御部１３はＣＤＤＢへのアクセスを行うことなく、音楽ＣＤにトラック毎に記録されている音楽データが曲間に無音時間を有している音楽データであるか、有していない音楽データであるかの判定を行うことができる。
【００４７】
また、データ記録再生装置１０は、ユーザによって指定されたＣＤに収録されている全トラックの音楽データ、あるいはユーザによって指定されたトラック番号の音楽データをＨＤＤ部１４に１ファイルにて記録（録音）できる機能を備え、この機能によってＣＤの音楽データをＨＤＤ部１４に録音する場合には、入力部１８から「ライブ録音」モードとしてユーザ設定できるように構成されている。
【００４８】
録音制御部１３は、ユーザからの録音指示において入力部１８からユーザ操作によって「ライブ録音」モードが設定されている場合には、ユーザによって指定されたＣＤに収録されている全トラックの音楽データ、あるいはユーザによって指定されたトラック番号の音楽データを１ファイルとしてＨＤＤ部１４に記録する。
【００４９】
さらに、録音制御部１３は、制御手段１１の指示に従ってＨＤＤ部１４へ記録する音楽データを圧縮エンコード処理するための圧縮エンコーダ部を備えている。そのため、ＣＤなどから読み込まれ、制御手段１１にあるＲＡＭ内の音楽データ格納領域に一旦記憶された音楽データは、制御手段１１にあるＲＯＭに格納されている専用のソフトを用いてＨＤＤに記憶される（読み込まれる）。すなわち、ＣＤの音楽データは、標準オーディオファイルであるＷＡＶファイルに変換され、録音制御部１３の制御によって、そのままＨＤＤに書き込まれるか、エンコーダ（圧縮部）を介して該ＷＡＶファイルをＭＰ３（ＭＰＥＧ−１／ＡＵＤＩＯ  Ｌａｙｅｒ３）などの任意の圧縮フォーマットに従って、任意のビットレート（圧縮率）でエンコード（圧縮）されてＨＤＤに書き込まれる。なお、音楽データを圧縮してＨＤＤに書き込む場合には、該音楽データをデコード（伸長）するためのデコードソフトも併せてＨＤＤに記録される。
【００５０】
ＨＤＤ部１４は、データ記録再生装置１０に内蔵されており、ＣＤなどから読み込まれた楽曲などの音楽データがファイルとして記録される大容量の記録媒体である。ここで、トラック毎に音楽データを記録している一般の音楽ＣＤから読み込まれた音楽データがファイルとしてＨＤＤ部１４に記録される場合には、第１の記録形態によって各トラックの音楽データがそれぞれ１つのファイルとしてＨＤＤ部１４に記録される構成、あるいは第２の記録形態によって複数のトラックからなる音楽データが１つのファイルとしてＨＤＤ部１４に記録される構成になっている。
【００５１】
図３は、ＨＤＤ部１４に記録された各ファイルの構成を説明するための図である。
【００５２】
図３（ａ）は、トラック毎に音楽データが記録されている音楽ＣＤから読み取った音楽データをＨＤＤ部１４に記録する際に、１トラックからなる音楽データを１ファイルとして記録する第１の記録形態によってデータの記録を行った場合に作成されるファイルを示している。具体的には、図２に示すようなＴＯＣ情報を備えた音楽ＣＤの音楽データを第１の記録形態によってＨＤＤ部１４に記録した際に作成される各ファイルのヘッダ部を示している。
【００５３】
図３（ａ）に示すように、ＨＤＤ部１４のファイルのヘッダ部として、各ファイルに対してＨＤＤ部１４上での音楽データのアドレス情報と、音楽ＣＤのタイトル名、対応するＣＤ上のトラック番号、ファイルのタイトル名（曲名）、演奏時間と、が関連付けられて記録されている例を示している。例えば、ファイル１に対しては、ＨＤＤ部１４上での音楽データのアドレス情報として「００ａａ」、ＣＤタイトル名として「タイトルＸ」、ＣＤ上のトラック番号として「１」、その曲名として「楽曲Ａ」、その演奏時間として「ａａ：ａａ」が記録されている。
【００５４】
これらの情報のうち、トラック番号に対応する演奏時間の情報はＣＤから取得したＴＯＣ情報に含まれており、ＣＤタイトル名およびファイル番号に対応する曲名の情報はＣＤＤＢから取得できるＣＤ情報に含まれている。
【００５５】
図３（ｂ）は、トラック毎に音楽データが記録されている音楽ＣＤから読み取った音楽データをＨＤＤ部１４に記録する際に、複数のトラックからなる音楽データを１ファイルとして記録する第２の記録形態（ライブ録音形態）によってデータの記録を行った場合に作成されるファイルを示している。
【００５６】
具体的には、図２に示すようなＴＯＣ情報を備えた音楽ＣＤの音楽データのうち、ライブ録音の音楽データであるトラック２、３、４を第２の記録形態によって１ファイルとしてＨＤＤ部１４に記録し、ライブ録音ではないそれ以外の音楽データのトラック１、５、ｎを第１の記録形態によってそれぞれ１ファイルとしてＨＤＤ部１４に記録した際に作成される各ファイルのヘッダ部を示している。
【００５７】
図３（ｂ）に示すように、ＨＤＤ部１４のファイルのヘッダ部として、ライブ録音ではない音楽データのトラックに対応する各ファイルに対しては、図３（ａ）と同じく、ＨＤＤ部１４上での音楽データのアドレス情報と、音楽ＣＤのタイトル名、対応するＣＤ上のトラック番号、ファイルのタイトル名（曲名）、演奏時間と、が関連付けられて記録されている。
【００５８】
また、ライブ録音の音楽データのトラックに対応するファイルに対しては、ＨＤＤ部１４上での音楽データのアドレス情報と音楽ＣＤのタイトル名のみが関連付けられて記録されている。例えば、ファイル２に対しては、ＨＤＤ部１４上での音楽データのアドレス情報として「００ｂｂ」、ＣＤタイトル名として「タイトルＸ」が記録されている。
【００５９】
これらの情報のうち、トラック番号に対応する演奏時間の情報はＣＤから取得したＴＯＣ情報に含まれており、ＣＤタイトル名およびファイル番号に対応する曲名の情報はＣＤＤＢから取得できるＣＤ情報に含まれている。
【００６０】
ファイル作成部１５は、ＨＤＤ部１４に記録した音楽データのうち、複数のトラックからなる音楽データを１つのファイルとしてＨＤＤ部１４に記録した場合に、この１ファイルに含まれる複数の音楽データをトラック単位に管理するためのアルバム管理ファイルをＣＤから取得されたＴＯＣ情報と、このＴＯＣ情報によって必要に応じてＣＤＤＢから取得できるＣＤ情報とに基づいて作成するためのものである。
【００６１】
データ記憶再生装置１０は、ＨＤＤ部１４に収録された音楽データを再生してスピーカ部１９から出力する場合、上記ファイルを参照してファイル番号に基づいてＨＤＤ部１４から音楽データを読み取るため、図３（ｂ）に示すファイルにおいて、例えば、ファイル番号２として管理されている音楽データについては、実際には複数のトラックからなるライブ録音データにもかかわらず、同一ファイル内にあるユーザが所望するそれぞれのトラックへのトラックアップ（ＦＦ）あるいはトラックダウン（ＲＷ）処理を行うことができない。
【００６２】
さらに、データ記憶再生装置１０は、音楽データを再生する際に再生を行っている音楽データの曲名や演奏時間を表示部１７に表示する場合、上記ファイルを参照してファイル番号に基づいて曲名や演奏時間を読み出すため、図３（ｂ）に示すファイルにおいて、例えば、ファイル番号２として管理されている音楽データについて、実際には複数のトラックからなるライブ録音データにもかかわらず、同一ファイル内にある現在再生している各トラックの曲名や演奏時間を表示することができない。
【００６３】
このため、ファイル作成部１５は、複数のトラックからなる音楽データを１つのファイルとしてＨＤＤ部１４に記録した場合に、この１ファイルに含まれる複数のトラックのそれぞれに対応する音楽データを識別管理するためのアルバム管理ファイル（管理情報）を作成し、作成したアルバム管理ファイルを制御手段１１にあるＲＡＭに格納する。
【００６４】
図４は、アルバム管理ファイルの構成を説明するための図である。
【００６５】
図４は、１ファイルに含まれる複数のトラックのそれぞれに対応する音楽データを識別管理するためのアルバム管理ファイルの一例を示している。図４に示すように、ＨＤＤ部１４のアルバム管理ファイルとして、１ファイルに含まれる各トラックに対して、トラック番号に対応するタイトル名（曲名）と、開始時間と、が関連付けられて記憶されている。例えば、ファイル番号２として管理されているトラック番号２に対しては、その曲名として「楽曲Ｂ」、その開始時間として「ｂ’ｂ’：ｂ’ｂ’」が記憶されている。同様に、トラック番号３に対しては、「楽曲Ｃ」、その開始時間として「ｃ’ｃ’：ｃ’ｃ’」が記憶されている。
【００６６】
これらの情報のうち、トラック番号に対応する開始時間の情報はＣＤから取得したＴＯＣ情報に含まれている各トラック演奏時間から算出され、トラック番号に対応する曲名の情報はＣＤＤＢから取得できるＣＤ情報に含まれている。
【００６７】
データ記憶再生装置１０は、入力部１８や表示部１７のタッチパネルから所望の音楽ＣＤあるいはＣＤ内の所望のトラックの指定、録音モードなどの設定が行われ、ＨＤＤ部１４への録音要求があると、録音制御部１３によりＣＤから読み出されたＴＯＣ情報を参照してユーザによって指定されたＣＤに収録されている全トラックの音楽データ、あるいはユーザによって指定されたトラック番号の音楽データをファイル毎にＨＤＤ部１４に記録する。
【００６８】
なお、所望のＣＤ、トラックを録音対象として指定する方法は、音楽ＣＤの曲目リストを表示部１７に表示させ、入力部１８からトラック番号を入力する方法や、表示部１７に表示されたトラック番号のアイコンをクリックする方法であってもよい。
【００６９】
そして、ファイル作成部１５は、録音制御部１４により音楽ＣＤから読み取った複数のトラックからなる音楽データを１ファイルとして記録する第２の記録形態によってデータの記録をＨＤＤ部１４に対して行った場合に、ＣＤから取得したＴＯＣ情報、ＣＤＤＢから取得できるＣＤ情報に基づいてアルバム管理ファイルを作成する。
【００７０】
すなわち、音楽ＣＤから読み取った音楽データをＨＤＤ部１４に記録する際に、音楽制御部１４が音楽ＣＤから読み出された音楽データが複数のトラックからなるライブ録音された音楽データであると判断し、複数のトラックからなる音楽データを１ファイルとして記録する第２の記録形態によってデータの記録を行った場合、あるいはユーザによる「ライブ録音」モードの設定に基づいて、複数のトラックからなる音楽データを１ファイルとして記録する第２の記録形態によってデータの記録を行った場合に、ファイル作成部１５によりアルバム管理ファイルの作成が行われる。ファイル作成部１５は、図４に示すようなアルバム管理ファイルを作成する場合には、ＣＤから取得されたＴＯＣ情報に含まれている各トラック演奏時間とＣＤＤＢから取得できるＣＤ情報に含まれているトラック番号に対応する曲名の情報とに基づいてファイルを作成する。
【００７１】
なお、図４に示したアルバム管理ファイルでは、トラック番号に対応する開始時間と曲名を関連付けて記憶させた場合について説明したが、これに限られることはなく、各トラックの開始時間のみだけでもよく、また曲名の他にアーティスト名などの各トラックを識別管理できる情報を関連付けて記憶させてもよい。ここで、ファイル作成部１５は、開始時間のみを関連付けて記憶させる場合には、ＣＤから取得されたＴＯＣ情報に含まれている各トラックの演奏時間の情報のみに基づいてファイルを作成すればよく、開始時間に加えて曲目やアーティスト名の情報も関連付けて記憶させる場合には、必要に応じてＣＤＤＢから取得できるＣＤ情報に含まれる各トラックの曲目、アーティスト名などの情報も参照してファイルを作成すればよい。
【００７２】
再生制御部１６は、ＨＤＤ部１４に収録された音楽データについて、ＨＤＤ部１４からの読み出しを制御するためのものであり、必要に応じてＨＤＤ部１４から読み出した音楽データを伸長デコード処理するためのデコーダ（伸長部）を備えている。
【００７３】
ＨＤＤ部１４に収録された音楽データを読み出すときは、再生制御部１６の制御によって、必要に応じてファイル作成部１５で作成されたアルバム管理ファイルを参照して、ＷＡＶファイルとしてそのままＨＤＤから読み出すか、ＨＤＤから読み出したエンコードされている音楽データを、ＨＤＤに記録されているデコードソフトを用いてデコーダ（伸長部）を介してＷＡＶファイルにデコードする。
【００７４】
データ記録再生装置１０は、入力部１８や表示部１７のタッチパネルから所望の音楽ＣＤあるいはＣＤ内の所望のトラックの指定が行われ、ＨＤＤ部１４の再生要求があると、再生制御部１６によりファイル番号を参照してユーザによって指定されたＣＤに収録されている全トラックの音楽データ、あるいはユーザによって指定されたトラック番号の音楽データをファイル毎にＨＤＤ部１４から読み取る。なお、所望のＣＤ、トラックを再生対象として指定する方法は、音楽ＣＤの曲目リストを表示部１７に表示させ、入力部１８からトラック番号を入力する方法や、表示部１７に表示されたトラック番号のアイコンをクリックする方法であってもよい。
【００７５】
ここで、図３（ｂ）に示すファイルにおいて、例えば、ファイル番号２として管理されているファイルのように、ファイル内の複数のトラックからなる音楽データについてトラック番号が関連付けて記録されていない場合には、再生制御部１６は、対応するファイル番号（ここではファイル番号２）に基づいて、図４に示すアルバム管理ファイルを参照して、各トラック番号に対応する曲名や演奏開始時間などの情報を読み出すとともに、読み出した各トラック番号に対応する演奏開始時間の情報に基づいて、ＨＤＤ部１４からファイル単位に読み取った音楽データの中から１ファイル内にある所定のトラックのデータ再生開始位置を算出する。
【００７６】
データ記録再生装置１０は、図４のアルバム管理ファイルから読み出した各トラック番号に対応する曲名や演奏開始時間に基づいて、１ファイル内にある複数のトラックについての曲名や演奏時間を表示部１７に表示させ、また、図４のアルバム管理ファイルから読み出した各トラック番号に対応する演奏開始時間の情報に基づいて、ＨＤＤ部１４からファイル単位に読み取った音楽データの中からユーザが所望するトラックの再生処理やそれぞれのトラックへのトラックアップ（ＦＦ）あるいはトラックダウン（ＲＷ）処理を行う。
【００７７】
表示部１７は、ＬＣＤや有機ＥＬＤなどのディスプレイパネルなどから構成される表示ユニットであり、制御手段１１からの制御信号に応じて、ＣＤから取得されたＴＯＣ情報に基づき制御手段１１が作成したプレイリストや再生中の楽曲のトラック番号や演奏経過時間など各種の情報を表示する。
【００７８】
入力部１８は、操作ボタンや抵抗膜方式やセンサ方式などのタッチパネルなどにより構成され、操作ボタンから所要の数値や文字を入力したり、タッチパネル上に表示されたアイコンを押圧あるいは接触したりすることで音楽データの録音・再生指示などの各種の操作・指示を受け付け、その受け付けた各種の操作・指示を動作制御信号として制御手段１１へ出力する。
【００７９】
スピーカ部１９は、ＨＤＤ部１４などから読み取られた音楽データを増幅して外部に出力するための装置である。
【００８０】
次に、本発明にかかるデータ記録再生装置の動作について説明する。
【００８１】
図５は、本実施例にかかるデータ記録再生装置の動作を示すフローチャートである。
【００８２】
なお、図５に示す動作は制御手段１１に備えられたＲＯＭに格納されている制御プログラムを実行することで実現される。
【００８３】
図５のステップＳ５００において、ユーザにより表示部１７のタッチパネルから所望のＣＤ、トラック番号などを設定してＣＤからＨＤＤ部１４への録音要求の指示があると、ステップＳ５０１において、ユーザによって指定されたＣＤに収録されている音楽データ、あるいはユーザによって指定されたトラック番号の音楽データがライブ録音（曲をつなげて収録）されたデータであるか否かを、ＣＤＤＢが提供する音楽ＣＤ情報のオンラインデータベースサービスを利用し、インターネットを介してアクセスされた当該ＣＤ情報に含まれている付加情報に基づいて判定する。
【００８４】
ステップＳ５０１の判定処理において、ライブ録音されたデータではないと判定した場合にはステップＳ５０２に進み、ライブ録音されたデータであると判定した場合にはステップＳ５０３の第２の記録形態による録音（複数のトラックからなるデータを１ファイルとして記録する）処理に進む。したがって、ユーザによって指定されたＣＤに収録されている音楽データ、あるいはユーザによって指定されたトラック番号の音楽データがライブ録音されたデータである場合には、自動的に第２の記録形態による録音処理に移行する。
【００８５】
なお、ステップＳ５００の録音要求の指示を行うために、ＣＤ再生部１２−２にＣＤが装着されると、ＣＤからＴＯＣ情報が読み出されて表示部１７にＣＤのトラック番号などが表示される。また、ステップＳ５０１の判定処理を、ＣＤから読み出されたＴＯＣ情報に基づいて行ってもよい。
【００８６】
次に、ステップＳ５０２では、ユーザからの録音指示において「ライブ録音」モードの指定があるか否か判定する。ステップＳ５０２の判定処理において、「ライブ録音」モードのユーザ設定があると判定した場合にはステップＳ５０３の第２の記録形態による録音（複数のトラックからなるデータを１ファイルとして記録する）処理に進み、「ライブ録音」モードのユーザ設定がないと判定した場合にはステップＳ５０８の第１の記録形態による録音（１トラックからなるデータを１ファイルとして記録する）処理に進む。
【００８７】
ステップＳ５０３では、ＣＤ再生部１２−２に装着されたＣＤから録音を希望する指定されたトラックに記録されている音楽データを制御手段１１にあるＲＡＭに読み出す。ステップＳ５０４では、録音を希望する指定されたトラックの全ての音楽データの読み出しが終了したか否か判定され、読み出しが終了した場合にはステップＳ５０５に進み、読み出しが終了していない場合にはステップＳ５０４の処理を繰り返す。
【００８８】
ステップＳ５０５では、ＲＡＭに読み出した音楽データを必要に応じて録音制御部１３のエンコーダ（圧縮部）によってＭＰ３の圧縮フォーマットに従って圧縮処理を施し、ステップＳ５０６では、圧縮された音楽データをＨＤＤ部１４へ書き込む。このとき、ライブ録音された複数のトラックからなる音楽データ、あるいは、「ライブ録音」モード設定とともにユーザによって指定されたＣＤに収録されている全トラックの音楽データやユーザによって指定されたトラック番号の音楽データを１ファイルとして書き込まれることになる。
【００８９】
ステップＳ５０７では、１ファイルとしてＨＤＤ部１４に書き込まれた複数のトラックからなる音楽データについてアルバム管理ファイルを作成し、作成されたアルバム管理ファイルを制御手段１１にあるＲＡＭに格納する。
【００９０】
一方、ステップＳ５０８では、ＣＤ再生部１２−２に装着されたＣＤから録音を希望する指定されたトラックに記録されている音楽データを制御手段１１にあるＲＡＭに読み出す。ステップＳ５０９では、録音を希望する指定されたトラックの全ての音楽データの読み出しが終了したか否か判定され、読み出しが終了した場合にはステップＳ５１０に進み、読み出しが終了していない場合にはステップＳ５０９の処理を繰り返す。
【００９１】
ステップＳ５１０では、ＲＡＭに読み出した音楽データを必要に応じて録音制御部１３のエンコーダ（圧縮部）によってＭＰ３の圧縮フォーマットに従って圧縮処理を施し、ステップＳ５１１では、圧縮された音楽データをＨＤＤ部１４へ書き込み処理を終了する。このとき、１トラックからなる音楽データを１ファイルとして書き込まれることになる。
【００９２】
なお、上記実施例では、ステップＳ５０３の第２の記録形態による録音処理に進むか否かの判断を、ステップＳ５０１のライブ録音された音楽データであるかの判定処理と、ステップＳ５０２の「ライブ録音」モードの指定があるかの判定処理とに基づいて行っているが、これに限られることはなく、いずれか一つの判定処理のみに基づいて行ってもよい。
【００９３】
また、上記実施例では、圧縮フォーマットとしてＭＰ３を使用した場合について説明したが、ＭＰ３に限られることはなく、ＡＡＣ（ＭＰＥＧ−２／Ａｄｖａｎｃｅｄ  Ａｕｄｉｏ  Ｃｏｄｉｎｇ）などの他の圧縮方式を適用することも可能である。
【００９４】
以上説明したように本発明にかかるデータ記録再生装置によれば、ユーザ操作などによって、データをトラック毎に記録した第１の記録媒体（ＣＤ）から読み出した１トラックからなるデータを１ファイルとして第２の記録媒体（ＨＤＤ）に記録する第１の記録形態と、前記第１の記録媒体（ＣＤ）から読み出した指定された複数のトラックからなるデータを１ファイルとして前記第２の記録媒体に記録する第２の記録形態とを選択することができる。
【００９５】
ライブアルバムのように複数のトラックに渡って連続する音楽データを記録する場合にもデータ再生時にデータが途切れることなく再生可能なように１ファイルとして記録し、各トラックを識別できる情報で管理することができるため、各トラックの管理情報を容易に知ることができるのでユーザの利便性を向上させることができる。
【００９６】
なお、上記実施例では、第１の記録媒体としてＣＤを使用した場合について説明したが、ＣＤに限られることはなく、ＤＶＤなどの他の読み出し可能な記憶媒体に適用することも可能である。
【００９７】
また、上記実施例では、データ記録再生装置に内蔵される第２の記録媒体としてＨＤＤを使用した場合について説明したが、ＨＤＤに限られることなく、メモリカードなどの他の書き込み読み出し可能な記録媒体に適用することも可能である。
【図面の簡単な説明】
【００９８】
【図１】本発明の実施例にかかるデータ記録再生装置の構成を示すブロック図である。
【図２】本実施例にかかるＴＯＣ情報の構成を説明するための図である。
【図３】本実施例にかかるＨＤＤ部１４に記録される各ファイルの構成を説明するための図である。
【図４】本実施例にかかるアルバム管理ファイルの構成を説明するための図である。
【図５】本実施例にかかるデータ記録再生装置の動作を示すフローチャートである。
【符号の説明】
【００９９】
１０・・・・データ記録再生装置
１１・・・・制御手段
１２・・・・ＣＤ駆動部
１２−１・・ＣＤ収納部
１２−２・・ＣＤ再生部
１３・・・・録音制御部
１４・・・・ＨＨＤ部
１５・・・・ファイル作成部
１６・・・・再生制御部
１７・・・・表示部
１８・・・・入力部
１９・・・・スピーカ部
【図１】
2009004019.tif 000003
【図２】
2009004019.tif 000004
【図３】
2009004019.tif 000005
【図４】
2009004019.tif 000006
【図５】
2009004019.tif 000007